(57)【特許請求の範囲】
【請求項１】
シャッタ開口を有する基板の背面側に開放シャッタ羽根群を設け、仕切板開口を有する仕切板が上記開放シャッタ羽根群の背面側に配設してあり、上記仕切板の背面側に閉鎖シャッタ羽根群が設けてあり、押え板開口を有する羽根押え板が上記閉鎖シャッタ羽根群の背面側に設けてあり、上記開放シャッタ羽根群及び上記閉鎖シャッタ羽根群がそれぞれ平行リンク機構を有する複数のアームにより上記シャッタ開口の開閉動作を行うフォーカルプレーンシャッタにおいて、
上記開放シャッタ羽根群のスリット形成羽根が対向する上記基板と上記仕切板のいずれか一方、又は／及び上記閉鎖シャッタ羽根群のスリット形成羽根が対向する上記仕切板と上記羽根押え板のいずれか一方に羽根衝突防止用の突部が設けてあり、
上記スリット形成羽根は、上記いずれかの開口の端部に到達する直前に上記突部に乗り上げかつ上記シャッタ羽根群による上記いずれかの開口の閉鎖終了状態では上記突部から上記スリット形成羽根の長手方向で上記アームに連結支持された側へ離脱して、上記突部が設けられた板部材に密着する
ことを特徴とするカメラ用フォーカルプレーンシャッタ。
【請求項２】
シャッタ開口を有する基板の背面側に閉鎖シャッタ羽根群を設け、仕切板開口を有する仕切板が上記閉鎖シャッタ羽根群の背面側に配設してあり、上記仕切板の背面側に開放シャッタ羽根群が設けてあり、押え板開口を有する羽根押え板が上記開放シャッタ羽根群の背面側に設けてあり、上記開放シャッタ羽根群及び上記閉鎖シャッタ羽根群がそれぞれ平行リンク機構を有する複数のアームにより上記シャッタ開口の開閉動作を行うフォーカルプレーンシャッタにおいて、
上記閉鎖シャッタ羽根群のスリット形成羽根が対向する上記基板と上記仕切板のいずれか一方、又は／及び上記開放シャッタ羽根群のスリット形成羽根が対向する上記仕切板と上記羽根押え板のいずれか一方に羽根衝突防止用の突部が設けてあり、
上記スリット形成羽根は、上記いずれかの開口の端部に到達する直前に上記突部に乗り上げかつ上記シャッタ羽根群による上記いずれかの開口の閉鎖終了状態では上記突部から上記スリット形成羽根の長手方向で上記アームに連結支持された側へ離脱して、上記突部が設けられた板部材に密着する
ことを特徴とするカメラ用フォーカルプレーンシャッタ。
【発明の詳細な説明】
【０００１】
【発明の属する技術分野】
本発明は、カメラ用フォーカルプレーンシャッタに関する。
【０００２】
【従来の技術】
従来からカメラ用フォーカルプレーンシャッタは、１例としてシャッタ開口を有する基板の背面側に複数のシャッタ羽根からなる開放シャッタ羽根群を設け、この開放シャッタ羽根群の背面側に仕切板開口を有する仕切板が配置してあり、さらに、この仕切板の背面側には複数のシャッタ羽根からなる閉鎖シャッタ羽根群が設けてあり、この仕切板の背面には摺動板を介して押え板開口を有する羽根押え板が設けてある。そして、開放シャッタ羽根群及び閉鎖シャッタ羽根群はそれぞれ平行リンク機構を有する複数のアームにより、各シャッタ羽根を異なった変位量だけ移動せしめて、基板、仕切板及び羽根押え板のそれぞれの開口の開閉作動を行うものである。（例えば、特開平７−２０５３４号公報参照）。開放シャッタ羽根群と閉鎖シャッタ羽根群は、１つのスリット形成羽根と複数の覆い羽根とからなる。
【０００３】
閉鎖シャッタ羽根群や仕切板の構成を図２を参照して説明すると、閉鎖シャッタ羽根群４は、一枚のスリット形成羽根４１と他の３枚の覆い羽根４２，４３，４４とからなり、この閉鎖シャッタ羽根群により仕切板３の仕切板開口３１を閉鎖する場合、スリット形成羽根４１は他の覆い羽根４２，４３，４４よりも先行して移動し、この他の覆い羽根がこれに追従し、それぞれの羽根を異なった変位量だけ移動せしめることにより仕切板３の仕切板開口３１全体を閉鎖する動作を行うものである。
【０００４】
【発明が解決しようとする課題】
ところで、閉鎖シャッタ羽根群４により仕切板３の仕切板開口３１を閉鎖するとき、各シャッタ羽根４１〜４４は仕切板開口３１の下端部から上方に向けて移動するが、先行するスリット形成羽根４１の移動方向の先端縁部４１ａが仕切板開口３１の上端部（上縁部）３１ａに衝突することがある。そのため、この仕切板開口３１の上縁部３１ａまたはスリット形成羽根４１の先端縁部４１ａを損傷することがある。そこで、これを防止するため、図２に示すように、この仕切板開口３１の上縁部３１ａを緩かな山型に形成してあるものが提案されている。ところが、このように仕切板開口３１の上縁部３１ａを緩かな山型に形成したものでも、スリット形成羽根４１が時には仕切板開口３１の上縁部３１ａに衝突することが発生することがある。
【０００５】
そこで、仕切板３自体を、例えば図２の縦方向中心線付近で緩かな逆山型形状に屈成し閉鎖シャッタ羽根群４のスリット形成羽根４１との間に僅かな空隙を設けたものも提案されているが、この空隙があると漏光の上で問題がでてくるのは避けられない。
【０００６】
【課題を解決するための手段】
上記の問題点を解決するために、本発明は、基板、仕切板、羽根押え板に羽根衝突防止用の突部を設けてあり、スリット形成羽根は開口の端部に到達する直前に突部に乗り上げ、かつシャッタ羽根群によるいずれかの開口の閉鎖終了状態では突部からスリット形成羽根の長手方向で上記アームに連結支持された側へ離脱して、上記突部が設けられた板部材に密着するものである。これにより、スリット形成羽根の先端と上記仕切板等の開口の端部との衝突を確実に防止し、漏光の問題も解決する。
【０００７】
【発明の実施の形態】
本発明のカメラ用フォーカルプレーンシャッタの特徴は、シャッタ開口を有する基板の背面側に開放シャッタ羽根群を設け、仕切板開口を有する仕切板が開放シャッタ羽根群の背面側に配設してあり、仕切板の背面側に閉鎖シャッタ羽根群が設けてあり、押え板開口を有する羽根押え板が閉鎖シャッタ羽根群の背面側に設けてあり、開放シャッタ羽根群及び閉鎖シャッタ羽根群がそれぞれ平行リンク機構を有する複数のアームによりシャッタ開口の開閉動作を行うフォーカルフレーンシャッタであり、上記の開放シャッタ羽根群のスリット形成羽根が対向する基板と仕切板のいずれか一方、又は／及び、閉鎖シャッタ羽根群のスリット形成羽根が対向する仕切板と羽根押え板のいずれか一方には、羽根衝突防止用の突部が設けてあり、スリット形成羽根はいずれかの開口の端部に到達する直前に突部に乗り上げ、かつシャッタ羽根群によるいずれかの開口の閉鎖終了状態では突部からスリット形成羽根の長手方向でアームに連結支持された側へ離脱して、突部が設けられた板部材に密着するものである。この構成により、スリット形成羽根が高速で移動しても、開口の端部に衝突することはなく、また、閉鎖時の遮光も十分に得られる。また、閉鎖シャッタ羽根群と開放シャッタ羽根群の配置が入れ替わったシャッタでもよい。
【０００８】
【実施例】
実施例について図面を参照して説明すると、図１において、図示しないカメラの撮影レンズに対向して配設された基板１にはシャッタ開口１ａが形成してある。基板１には軸１１、１２、１３が立設してあり、それぞれの軸にセットレバー１４、開放レバー１５、閉鎖レバー１６が回動自在に軸支されている。基板１には、軸１２及び軸１３を中心とする円弧状のガイド孔１ｂおよび１ｃが形成してあり、開放レバー１５及び閉鎖レバー１６に突設してある駆動ピン１５ａ、１６ａがガイド孔１ｂ、１ｃを貫通して移動可能になっている。開放レバー１５及び閉鎖レバー１６には図示しない駆動バネが掛け止めてある。両レバー１５、１６はセット状態ではそれぞれの電磁石装置１７、１８に吸着されており、シャッタが切られた時に、回路基板１９上の回路に制御されて、開放レバー１５が先に、そして少し遅れて閉鎖レバー１６が、その吸着を順次開放される。吸着が開放された後は、両レバーはそれぞれの駆動ばねによって回動される。
【０００９】
基板１の背面側には開放シャッタ羽根群２が設けてある。開放シャッタ羽根群２は、スリット形成羽根２１と複数の覆い羽根２２ａ〜２２ｄとからなる。各開放シャッタ羽根２１、２２ａ〜２２ｄは軸支ピン２３にかしめられており、この軸支ピン２３が平行リンク機構を構成する複数のアーム２４に回転自在に嵌合することにより、開放シャッタ羽根をアームに回動自在に連結支持している。開放シャッタ羽根群２の背面側に、仕切板３が配設され、仕切板３には仕切板開口３１が形成してある。
【００１０】
仕切板３の背面側に、閉鎖シャッタ羽根群４が設けてある。閉鎖シャッタ羽根群４は、スリット形成羽根４１と複数の覆い羽根４２，４３，４４（図２）とからなる。各閉鎖シャッタ羽根４１，４２，４３，４４は軸支ピン６にかしめられており、この軸支ピン６が平行リンク機構を構成する複数のアーム７，８，９に回転自在に嵌合することにより、閉鎖シャッタ羽根をアームに回動自在に連結支持している。羽根押え板５には押え板開口５ａが形成してあり、基板１に設けたガイド孔１ｃと対向位置にガイド孔５ｃが開設してある。押え板開口５ａの背後に図示しないフィルムが配設されている。
【００１１】
次に、本発明の特徴である仕切板３と閉鎖シャッタ羽根群４の構成について、図２、図３を参照して説明する。仕切板３の背面に位置する閉鎖シャッタ羽根群４は最上部に位置し先行移動する一枚のスリット形成羽根４１と３枚の覆い羽根４２，４３，４４とからなるもので、この各シャッタ羽根に軸支ピン６…がかしめてある。また、アーム９の孔９ｂには閉鎖レバー１６の駆動ピン１６ａが貫入している。
【００１２】
ところで、仕切板３は仕切板開口３１が形成してあり、全体的にほぼロ字状のもので、この仕切板の左側枠部に、この仕切板開口の上縁部３１ａのレベルＬよりやや下方に羽根衝突防止用の突部３２が一体的に突設してあり、この突部の側面形状は緩かな曲線の円弧状のものである。即ち、突部３２の位置及び形状は閉鎖シャッタ羽根群４のスリット形成羽根４１が仕切板３の仕切板開口３１の上縁部３１ａに衝突する直前に、このスリット形成羽根４１の先端部（左端部）はこの突部３２に乗り上げ、これによりスリット形成羽根４１の先端部が持上げられるものである。そのため、スリット形成羽根４１の先端部の裏面は仕切板３の面から離反し、この仕切板の仕切板開口３１の上縁部３１ａと接触（衝突）することなく移動する。
【００１３】
さらに、このスリット形成羽根４１は、アーム８の軸孔８ａとアーム９の軸孔９ａを中心として円弧状かつ平行に上昇移動する。そして、スリット形成羽根４１が仕切板３の仕切板開口３１を閉鎖終了状態には、図３に示すように、閉鎖シャッタ羽根群４のこのスリット形成羽根４１の先端部の裏面は突部３２から離脱し、自己の弾性力によって仕切板３の面に密着し、その間に隙間などを生じることがないものである。この実施例ではシャッタ羽根群は基板の背面側に開放シャッタ羽根群、閉鎖シャッタ羽根群の順で設けられているが、閉鎖シャッタ羽根群、開放シャッタ羽根群の順に設けてあるシャッタでも同様に実施することができる。
【００１４】
【発明の効果】
本発明に係るフォーカルプレーンシャッタは、シャッタ羽根群のスリット形成羽根の先端と、開口の端部との当接を確実に防止することができるばかりでなく、開口を閉鎖した後は漏光の問題も発生しない効果を奏する。
【図面の簡単な説明】
【図１】  フォーカルプレーンシャッタを示す展開斜視図である。
【図２】  閉鎖シャッタ羽根群と仕切板との正面図で、スリット形成羽根が突部に乗り上げた状態を示すものである。
【図３】  閉鎖シャッタ羽根群と仕切板との正面図で、スリット形成羽根が突部から離脱した状態を示すものである。
【符号の説明】
１            基板
１ａ          シャッタ開口
２            開放シャッタ羽根群
３            仕切板
３１          仕切板開口
３２          突部
４            閉鎖シャッタ羽根群
２１，４１    スリット形成羽根
５            羽根押え板
５ａ          押え板開口
【図１】
0003990072.tif 000002
【図２】
0003990072.tif 000003
【図３】
0003990072.tif 000004